【手続補正書】
【提出日】平成26年10月31日(2014.10.31)
【手続補正１】
【補正対象書類名】特許請求の範囲
【補正対象項目名】全文
【補正方法】変更
【補正の内容】
【特許請求の範囲】
【請求項１】
サーバーコンピューティングデバイスと、
サーバーコンピューティングデバイスに結合され、命令が格納されているコンピュータ可読記録媒体であって、前記命令は、前記サーバーコンピューティングデバイスによって実行されたときに、前記サーバーコンピューティングデバイスに、表示対象のデジタルコンテンツをネットワーク上に配信するサーバーサイドの動作を実行させる、コンピュータ可読記録媒体と
を備え、前記サーバーサイドの動作は、
少なくとも1つのウェブページドキュメントをユーザーによって操作されるクライアントコンピューティングデバイスに提供する段階であって、前記ウェブページドキュメントはブラウザアプリケーションにクライアントサイドの動作を実行させるための命令を含む、段階を含み、前記クライアントサイドの動作は、
ウェブページ内に、第1のソーシャルネットワーキングサービスのコンテンツ共有インターフェースのグラフィカル表現を提示する段階であって、前記グラフィカル表現はユーザー入力に応答する少なくとも1つのボタンアイコンを含む、段階と、
前記ボタンアイコンへの第1のユーザー入力を受信する段階と、
前記第1のユーザー入力に応答して、前記ウェブページ内の前記コンテンツ共有インターフェースを、拡大したコンテンツ入力領域および配信インターフェースを含むように拡大する段階であって、前記拡大されたコンテンツ入力領域は配信されるデジタルコンテンツのグラフィカル表現を表示する、段階と、
前記配信インターフェースへの第2のユーザー入力を受信する段階であって、前記第2のユーザー入力は前記デジタルコンテンツの配信先となる1つまたは複数の連絡先を指示する、段階と、
前記第2のユーザー入力を受信したことに応答して、前記配信インターフェース内に1つまたは複数のアイコンを表示する段階であって、前記1つまたは複数のアイコンのうちのそれぞれのアイコンは前記1つまたは複数の連絡先のグラフィカル表現である、段階と、
前記コンテンツ共有インターフェースへの第3のユーザー入力を受信する段階であって、前記第3のユーザー入力は前記デジタルコンテンツを配信するためのユーザー命令を含む、段階と、
前記第3のユーザー入力に応答して、投稿データセットを前記サーバーコンピューティングシステムに送信する段階であって、前記投稿データセットはデジタルコンテンツデータおよび配信データを含む、段階とを含む、
システム。
【請求項２】
前記1つまたは複数のアイコンのうちの1つのアイコンは、ソーシャルネットワーキングサービス内の前記ユーザーのソーシャルサークルに対応し、前記ソーシャルサークルは前記1つまたは複数の連絡先の部分集合を定める請求項1に記載のシステム。
【請求項３】
前記1つまたは複数のアイコンのうちの1つのアイコンは、前記ユーザーが参加する第2のソーシャルネットワーキングサービスに対応する請求項1に記載のシステム。
【請求項４】
前記第2のソーシャルネットワーキングサービスは、マイクロブロギングソーシャルネットワーキングサービスを含む請求項3に記載のシステム。
【請求項５】
前記第2のソーシャルネットワーキングサービスは、ブロギングサービスを含む請求項3に記載のシステム。
【請求項６】
前記1つまたは複数のアイコンのうちの1つのアイコンは、電子メール経由で前記デジタルコンテンツを受信する少なくとも1つの連絡先に対応する請求項1に記載のシステム。
【請求項７】
前記クライアントサイドの動作は、前記ウェブページ内にウェブページデジタルコンテンツを表示する段階をさらに含み、前記コンテンツ共有インターフェースは、前記拡大されたコンテンツ入力領域内に前記ウェブページデジタルコンテンツのサマリーを表示する請求項1に記載のシステム。
【請求項８】
前記クライアントサイドの動作は、前記拡大されたコンテンツ選択領域内に1つまたは複数のデジタルコンテンツ選択アイコンを表示する段階をさらに含む請求項1に記載のシステム。
【請求項９】
前記クライアントサイドの動作は、
第4のユーザー入力を受信する段階であって、前記第4のユーザー入力は前記1つまたは複数のデジタルコンテンツ選択アイコンのうちの1つのアイコンの選択を指示する、段階と、
前記第4のユーザー入力を受信したことに応答して、ユーザーが配信に追加のデジタルコンテンツを選択することができるデジタルコンテンツ選択インターフェースを表示する段階と
をさらに含む請求項8に記載のシステム。
【請求項１０】
前記1つまたは複数のデジタルコンテンツ選択アイコンは、デジタル画像選択アイコン、デジタル動画選択アイコン、リンク選択アイコン、および地図選択アイコンを含む請求項8に記載のシステム。
【請求項１１】
前記1つまたは複数のデジタルコンテンツ選択アイコンは、前記第1のユーザー入力を受信する前に前記コンテンツ共有インターフェースに表示される請求項8に記載のシステム。
【請求項１２】
前記クライアントサイドの動作は、
第4のユーザー入力を受信する段階であって、前記第4のユーザー入力は前記ボタンアイコンの上のホバリングアクションを指示する、段階と、
前記第4のユーザー入力に応答して、ダイアログボックスを表示する段階であって、前記ダイアログボックスは前記デジタルコンテンツを共有した連絡先に対応するデータを表示する、段階と
をさらに含む請求項1に記載のシステム。
【請求項１３】
前記第1のユーザー入力は、前記ボタンアイコンのユーザー選択を含む請求項12に記載のシステム。
【請求項１４】
前記ウェブページは、検索結果ページを含み、前記ボタンアイコンは、前記ウェブページ内に表示される検索結果に関連付けられる請求項1に記載のシステム。
【請求項１５】
前記ウェブページは、地図表示サービスウェブページを含み、前記デジタルコンテンツは、地図を含む請求項1に記載のシステム。
【請求項１６】
前記投稿データセットは、前記地図の地図ビューに対応するスクロールデータおよびズームデータを含む地図データをさらに含み、前記スクロールデータおよび前記ズームデータは前記地図ビューを複製するために前記地図表示サービスウェブページによって使用可能である請求項15に記載のシステム。
【請求項１７】
前記サーバーサイドの動作は、
前記投稿データセットを受信する段階と、
前記配信データに基づきアクセス制御リスト(ACL)を生成する段階であって、前記配信データは前記1つまたは複数の連絡先に対応する、段階と、
前記ACLに基づき前記デジタルコンテンツを配信する段階と
をさらに含む請求項1に記載のシステム。
【請求項１８】
前記ウェブページは、前記ソーシャルネットワーキングサービスのウェブページを含む請求項1に記載のシステム。
【請求項１９】
前記複数のウェブページのそれぞれは、前記ソーシャルネットワーキングサービスのウェブページを含む請求項1に記載のシステム。
【請求項２０】
前記ウェブページは、前記ソーシャルネットワーキングサービスのドメインの外部にあるウェブサイトのウェブページを含む請求項1に記載のシステム。
【請求項２１】
コンピュータプログラムで符号化されたコンピュータ記憶媒体であって、前記プログラムは命令を含み、前記命令は、1つまたは複数のコンピュータによって実行されたときに、前記1つまたは複数のコンピュータに、
ウェブページ内に、第1のソーシャルネットワーキングサービスのコンテンツ共有インターフェースのグラフィカル表現を提示する段階であって、前記グラフィカル表現はユーザー入力に応答する少なくとも1つのボタンアイコンを含む、段階と、
前記ボタンアイコンへの第1のユーザー入力を受信する段階と、
前記第1のユーザー入力に応答して、前記ウェブページ内の前記コンテンツ共有インターフェースを、拡大したコンテンツ入力領域および配信インターフェースを含むように拡大する段階であって、前記拡大されたコンテンツ入力領域は配信されるデジタルコンテンツのグラフィカル表現を表示する、段階と、
前記配信インターフェースへの第2のユーザー入力を受信する段階であって、前記第2のユーザー入力は前記デジタルコンテンツの配信先となる1つまたは複数の連絡先を指示する、段階と、
前記第2のユーザー入力を受信したことに応答して、前記配信インターフェース内に1つまたは複数のアイコンを表示する段階であって、前記1つまたは複数のアイコンのうちのそれぞれのアイコンは前記1つまたは複数の連絡先のグラフィカル表現である、段階と、
前記コンテンツ共有インターフェースへの第3のユーザー入力を受信する段階であって、前記第3のユーザー入力は前記デジタルコンテンツを配信するためのユーザー命令を含む、段階と、
前記第3のユーザー入力に応答して、投稿データセットをサーバーコンピューティングシステムに送信する段階であって、前記投稿データセットはデジタルコンテンツデータおよび配信データを含む、段階と
を含む動作を実行させる、コンピュータプログラムで符号化されたコンピュータ記憶媒体。
【請求項２２】
ウェブページ内に、第1のソーシャルネットワーキングサービスのコンテンツ共有インターフェースのグラフィカル表現を提示する段階であって、前記グラフィカル表現はユーザー入力に応答する少なくとも1つのボタンアイコンを含む、段階と、
前記ボタンアイコンへの第1のユーザー入力を受信する段階と、
前記第1のユーザー入力に応答して、前記ウェブページ内の前記コンテンツ共有インターフェースを、拡大したコンテンツ入力領域および配信インターフェースを含むように拡大する段階であって、前記拡大されたコンテンツ入力領域は配信されるデジタルコンテンツのグラフィカル表現を表示する、段階と、
前記配信インターフェースへの第2のユーザー入力を受信する段階であって、前記第2のユーザー入力は前記デジタルコンテンツの配信先となる1つまたは複数の連絡先を指示する、段階と、
前記第2のユーザー入力を受信したことに応答して、前記配信インターフェース内に1つまたは複数のアイコンを表示する段階であって、前記1つまたは複数のアイコンのうちのそれぞれのアイコンは前記1つまたは複数の連絡先のグラフィカル表現である、段階と、
前記コンテンツ共有インターフェースへの第3のユーザー入力を受信する段階であって、前記第3のユーザー入力は前記デジタルコンテンツを配信するためのユーザー命令を含む、段階と、
前記第3のユーザー入力に応答して、投稿データセットをサーバーコンピューティングシステムに送信する段階であって、前記投稿データセットはデジタルコンテンツデータおよび配信データを含む、段階と
を含むコンピュータ実装方法。
【請求項２３】
サーバーコンピューティングデバイスと、
サーバーコンピューティングデバイスに結合され、命令が格納されているコンピュータ可読記録媒体であって、前記命令は、前記サーバーコンピューティングデバイスによって実行されたときに、前記サーバーコンピューティングデバイスに、表示対象のデジタルコンテンツをネットワーク上に配信するサーバーサイドの動作を実行させる、コンピュータ可読記録媒体と
を備え、前記サーバーサイドの動作は、
少なくとも1つのウェブページドキュメントをユーザーによって操作されるクライアントコンピューティングデバイスに提供する段階であって、前記ウェブページドキュメントはブラウザアプリケーションにクライアントサイドの動作を実行させるための命令を含む、段階を含み、前記クライアントサイドの動作は、
ウェブページ内にウェブページデジタルコンテンツを表示する段階と、
前記ウェブページ内に、ソーシャルネットワーキングサービスのコンテンツ共有インターフェースのグラフィカル表現を表示する段階であって、前記グラフィカル表現はユーザー入力に応答する少なくとも1つのボタンアイコンを含む、段階と、
前記ボタンアイコンへの第1のユーザー入力を受信する段階であって、前記第1のユーザー入力はウェブページデジタルコンテンツに関連付けられているデジタルコンテンツを配信するユーザーの意図を示す、段階と、
前記第1のユーザー入力を受信したことに応答して、前記ウェブページ内の前記コンテンツ共有インターフェースを、拡大したコンテンツ入力領域および配信インターフェースを含むように拡大する段階であって、前記拡大されたコンテンツ入力領域は前記ウェブページデジタルコンテンツのサマリーとして提供される前記デジタルコンテンツを表示する、段階と、
前記配信インターフェースを通じて第2のユーザー入力を受信する段階であって、前記第2のユーザー入力は1つまたは複数のソーシャルサークルを指示し、それぞれのソーシャルサークルは前記デジタルコンテンツの配信先となる1つまたは複数の連絡先を含む、段階と、
前記第2のユーザー入力を受信したことに応答して、前記配信インターフェース内に1つまたは複数のアイコンを表示する段階であって、前記1つまたは複数のアイコンのうちのそれぞれのアイコンは前記1つまたは複数のソーシャルサークルのグラフィカル表現である、段階と、
前記コンテンツ共有インターフェースへの第3のユーザー入力を受信する段階であって、前記第3のユーザー入力は前記デジタルコンテンツを配信するためのユーザー命令を含む、段階と、
前記第3のユーザー入力に応答して、投稿データセットを前記サーバーコンピューティングシステムに送信する段階であって、前記投稿データセットはデジタルコンテンツデータおよび配信データを含む、段階とを含む、
システム。